(57)【要約】【課題】加熱ユニットの継手取付部材に取付けられた流入側継手と流出側継手との間の熱伝導による熱エネルギーの損失を効果的に抑制することのできる給湯装置を提供する。【解決手段】加熱ユニットのユニット本体に取付けられる継手取付板７２に、流入側継手７３と流出側継手７４との間の熱伝導を阻止する断熱部７２ａを設けたので、流入側配管の低温の給湯用水によって流出側配管の高温の給湯用水の温度が低下することがなく、熱エネルギーの損失を効果的に抑制することができる。この場合、断熱部７２ａを継手取付板７２に設けた長孔７２ｂによって形成したので、断熱部７２ａを簡単な構造により形成することができ、実用化に際して極めて有利である。【選択図】図３
2009293825.tif 000002
【特許請求の範囲】
【請求項１】
外部から流入する給湯用水を加熱し、加熱した給湯用水を外部に流出する加熱ユニットを備え、加熱ユニットのユニット本体には、給湯用水の流入側配管が接続される流入側継手と、給湯用水の流出側配管が接続される流出側継手がそれぞれ取付けられる継手取付部材を設けた給湯装置において、
前記継手取付部材に、流入側継手と流出側継手との間の熱伝導を阻止する断熱部を設けた
ことを特徴とする給湯装置。
【請求項２】
前記断熱部を継手取付部材の厚さ方向に貫通する長孔によって形成した
ことを特徴とする請求項１記載の給湯装置。
【請求項３】
前記断熱部を複数の長孔によって形成した
ことを特徴とする請求項２記載の給湯装置。
【請求項４】
前記長孔に断熱材を充填した
ことを特徴とする請求項２または３記載の給湯装置。
【発明の詳細な説明】
【技術分野】
【０００１】
本発明は、例えばヒートポンプ回路によって給湯用水を加熱する給湯装置に関するものである。
【背景技術】
【０００２】
従来、ヒートポンプ式の給湯装置としては、ヒートポンプ回路によって給湯用水を加熱する加熱ユニットと、加熱ユニットで生成した温水を貯溜するタンクユニットとを備え、タンクユニットの温水を浴槽や台所に供給するようにしたものが知られている（例えば、特許文献１参照。）。
【０００３】
この給湯装置の加熱ユニットは、圧縮機、蒸発器、水熱交換器（ガスクーラ）等からなる冷媒回路を備え、給湯用水を水熱交換器で加熱し、温水配管を介してタンクユニットに供給するようにしている。この場合、加熱ユニットは、給湯用水の流入側配管が接続される流入側継手と、給湯用水の流出側配管が接続される流出側継手とを有し、各継手は金属製の継手取付板に取付けられ、継手取付板はユニット本体の側面に取付けられている。
【特許文献１】特開２００５−１４７６０９号公報
【発明の開示】
【発明が解決しようとする課題】
【０００４】
ところで、前記給湯装置では、加熱ユニットに約２０℃以下の給湯用水が流入し、約６５℃〜９０℃まで加熱した給湯用水を流出するようにしているが、流入側継手と流出側継手は互いに近接するように継手取付板に取付けられているため、各継手間に継手取付板を介して熱伝導が生じ、流入側配管の低温の給湯用水により流出側配管の高温の給湯用水の温度が低下して熱エネルギーの損失を生ずるという問題点があった。
【０００５】
本発明は前記問題点に鑑みてなされたものであり、その目的とするところは、加熱ユニットの継手取付部材に取付けられた流入側継手と流出側継手との間の熱伝導による熱エネルギーの損失を効果的に抑制することのできる給湯装置を提供することにある。
【課題を解決するための手段】
【０００６】
本発明は前記目的を達成するために、外部から流入する給湯用水を加熱し、加熱した給湯用水を外部に流出する加熱ユニットを備え、加熱ユニットのユニット本体には、給湯用水の流入側配管が接続される流入側継手と、給湯用水の流出側配管が接続される流出側継手がそれぞれ取付けられる継手取付部材を設けた給湯装置において、前記継手取付部材に、流入側継手と流出側継手との間の熱伝導を阻止する断熱部を設けている。
【０００７】
これにより、加熱ユニットに流入側継手を介して外部から低温の給湯用水が流入し、加熱ユニットから外部に流出側継手を介して高温の給湯用水が流出すると、継手取付部材と各継手との間に熱伝導が生ずるが、各継手間の熱伝導は継手取付部材の断熱部によって阻止されることから、流入側配管の低温の給湯用水によって流出側配管の高温の給湯用水の温度が低下することがない。
【発明の効果】
【０００８】
本発明によれば、加熱ユニットの流入側配管の低温の給湯用水によって流出側配管の高温の給湯用水の温度が低下することがないので、熱エネルギーの損失を効果的に抑制することができ、例えばヒートポンプ式給湯装置におけるＣＯＰの向上に極めて有利である。
【発明を実施するための最良の形態】
【０００９】
図１乃至図３は本発明の第１の実施形態を示すもので、図１は給湯装置の概略構成図、図２は加熱ユニットの一部分解斜視図、図３は継手取付板の正面図である。
【００１０】
同図に示す給湯装置は、冷媒を流通する冷媒回路１０と、給湯用水を流通する第１給湯回路２０と、給湯用水を流通する第２給湯回路３０と、浴槽用水を流通する浴槽用回路４０と、冷媒回路１０の冷媒と第１給湯回路２０の給湯用水とを熱交換する第１水熱交換器５０と、第２給湯回路３０の給湯用水と浴槽用回路４０の浴槽用水とを熱交換する第２水熱交換器６０とを備えている。
【００１１】
冷媒回路１０は、圧縮機１１、膨張弁１２、空気熱交換器１３及び第１水熱交換器５０を接続してなり、圧縮機１１、第１水熱交換器５０、膨張弁１２、空気熱交換器１３、圧縮機１１の順に冷媒を流通させるようになっている。尚、この冷媒回路１０で使用される冷媒は、例えば二酸化炭素等の自然系冷媒である。
【００１２】
第１給湯回路２０は、貯湯タンク２１、第１ポンプ２２及び第１水熱交換器５０を接続してなり、貯湯タンク２１、第１ポンプ２２、第１水熱交換器５０、貯湯タンク２１の順に給湯用水を流通させるようになっている。貯湯タンク２１には、給水管２３及び第２給湯回路３０が接続され、給水管２３から供給された給湯用水は貯湯タンク２１を介して第１給湯回路２０を流通するようになっている。貯湯タンク２１と浴槽Ａとは、第２ポンプ２４が設けられた流路２５を介して接続され、第２ポンプ２４によって貯湯タンク２１内の給湯用水が浴槽Ａに供給されるようになっている。
【００１３】
第２給湯回路３０は、貯湯タンク２１、第３ポンプ３１及び第２水熱交換器６０を接続してなり、貯湯タンク２１、第２水熱交換器６０、第３ポンプ３１、貯湯タンク２１の順に給湯用水を流通させるようになっている。
【００１４】
浴槽用回路４０は、浴槽Ａ、第４ポンプ４３及び第２水熱交換器６０を接続してなり、浴槽Ａ、第４ポンプ４３、第２水熱交換器６０、浴槽Ａの順に浴槽用水を流通させるようになっている。
【００１５】
第１水熱交換器５０は、冷媒回路１０及び第１給湯回路２０に接続され、冷媒回路１０を流通する冷媒と第１給湯回路２０を流通する給湯用水とを熱交換させるようになっている。第１水熱交換器５０は、図示していないが、環状に巻かれたチューブ状の管路内に冷媒回路１０の高温側回路１０ａを配置してなる周知の構造からなり、高温側回路１０ａの冷媒との熱交換によって第１給湯回路２０の給湯用水を加熱するようになっている。
【００１６】
第２水熱交換器６０は、第２給湯回路３０及び浴槽用回路４０に接続され、第２給湯回路３０の給湯用水と浴槽用回路４０の浴槽用水とを熱交換させるようになっている。
【００１７】
また、前記給湯装置は、冷媒回路１０及び第１水熱交換器５０が配置された加熱ユニット７０と、貯湯タンク２１、第１ポンプ２２、第２ポンプ２４、第２給湯回路３０、第４ポンプ４３及び第２水熱交換器６０が配置されたタンクユニット８０とを備え、加熱ユニット７０とタンクユニット８０とは第１給湯回路２０を介して接続されている。
【００１８】
加熱ユニット７０は、内部に冷媒回路１０の圧縮機１１、膨張弁１２、空気熱交換器１３及び第１水熱交換器５０を収容するユニット本体７１を備え、ユニット本体７１の前面には背面側から吸入した空気を空気熱交換器１３を介して前方に吐出する空気吐出口７１ａが設けられている。ユニット本体７１の一側面には配管挿通用の開口部７１ｂが設けられ、開口部７１ｂは金属製の継手取付板７２によって覆われている。継手取付板７２には、第１給湯回路２０の流入側配管が接続される流入側継手７３と、第１給湯回路２０の流出側配管が接続される流出側継手７４がそれぞれネジ止めによって取付けられており、継手取付板７２はユニット本体７１の一側面に取付けられたカバー７５によって覆われている。各継手７３，７４は一端にタンクユニット８０側の配管を接続し、他端に加熱ユニット７０側の配管を接続する周知の継手からなり、互いに上下方向に間隔をおいて配置されている。継手取付板７２には各継手７３，７４間の熱伝導を阻止する断熱部７２ａが設けられ、断熱部７２ａは継手取付板７２を厚さ方向に貫通する長孔７２ｂによって形成されている。この場合、長孔７２ｂは継手取付板７２の幅方向に直線状に延びるように形成されている。
【００１９】
以上のように構成された給湯装置においては、冷媒回路１０の高温冷媒と第１の給湯回路２０の給湯用水とが第１の水熱交換器５０によって熱交換され、加熱ユニット７０で給湯用水が加熱される。その際、加熱ユニット７０では、流入側継手７３を介してタンクユニット８０側から約２０℃以下の給湯用水が流入し、タンクユニット８０側に流出側継手７４を介して約６５℃〜９０℃の給湯用水が流出する。このため、継手取付板７２には各継手７３，７４との間に熱伝導が生ずるが、各継手７３，７４間の熱伝導は継手取付板７２の長孔７２ａによって阻止されることから、流入側配管の低温の給湯用水によって流出側配管の高温の給湯用水の温度が低下することがない。
【００２０】
このように、本実施形態によれば、加熱ユニット７０のユニット本体７１に取付けられる継手取付板７２に、流入側継手７３と流出側継手７４との間の熱伝導を阻止する断熱部７２ａを設けたので、流入側配管の低温の給湯用水によって流出側配管の高温の給湯用水の温度が低下することがなく、熱エネルギーの損失を効果的に抑制することができる。
【００２１】
この場合、断熱部７２ａを継手取付板７２に設けた長孔７２ｂによって形成したので、断熱部７２ａを簡単な構造により形成することができ、実用化に際して極めて有利である。
【００２２】
尚、前記第１の実施形態では、断熱部７２ａを長孔７２ｂのみによって形成したものを示したが、図４に示す第２の実施形態のように、継手取付板７２に設けた長孔７２ｃと、長孔７２ｃに充填されたウレタン樹脂等の断熱材７２ｄとから断熱部７２ａを形成すれば、断熱材７２ｄによって各継手７３，７４間の熱伝導をより効果的に阻止することができる。
【００２３】
また、前記第１の実施形態では、断熱部７２ａを継手取付板７２の幅方向に直線状に延びる一つの長孔７２ｂによって形成したものを示したが、例えば図５乃至図７に示す第３乃至第５の実施形態のように形成するようにしてもよい。
【００２４】
即ち、図５に示す第３の実施形態では、断熱部７２ａを継手取付板７２の幅方向に直線状に延びる複数の長孔７２ｅによって形成し、各長孔７２ｅを継手取付板７２の幅方向に互い違いになるように上下二列に配列している。
【００２５】
また、図６に示す第４の実施形態では、断熱部７２ａを継手取付板７２の幅方向に対して斜めに延びる複数の長孔７２ｆによって形成し、各長孔７２ｆを継手取付板７２の幅方向に等間隔で配列している。
【００２６】
更に、図７に示す第５の実施形態では、断熱部７２ａを複数の長孔７２ｇによって形成し、流出側継手７４を囲むように各長孔７２ｇを互いに長手方向に間隔をおいて配列している。この場合、流入側継手７３を各長孔７２ｇによって囲むようにしてもよい。
【００２７】
第３乃至第５の実施形態によれば、断熱部７２ａを複数の長孔７２ｅ（７２ｆ，７２ｇ）によって形成しているので、継手取付板７２の強度を確保する上で効果的である。この場合、第２の実施形態と同様、各長孔７２ｅ，７２ｆ，７２ｇに断熱材を充填するようにしてもよい。
【図面の簡単な説明】
【００２８】
【図１】本発明の第１の実施形態を示す給湯装置の概略構成図
【図２】加熱ユニットの一部分解斜視図
【図３】継手取付板の正面図
【図４】本発明の第２の実施形態を示す継手取付板の正面図
【図５】本発明の第３の実施形態を示す継手取付板の正面図
【図６】本発明の第４の実施形態を示す継手取付板の正面図
【図７】本発明の第５の実施形態を示す継手取付板の正面図
【符号の説明】
【００２９】
７０…加熱ユニット、７１…ユニット本体、７２…継手取付板、７２ａ…断熱部、７２ｂ，７２ｃ…長孔、７２ｄ…断熱材、７２ｅ，７２ｆ，７２ｇ…長孔、７３…流入側継手、７４…流出側継手。
【図１】
2009293825.tif 000003
【図２】
2009293825.tif 000004
【図３】
2009293825.tif 000005
【図４】
2009293825.tif 000006
【図５】
2009293825.tif 000007
【図６】
2009293825.tif 000008
【図７】
2009293825.tif 000009